(57)【要約】【課題】  寝室特にベッド環境を、清潔に安全に快適なものにすることができるように改良されたマットレスを提供することを主要な目的とする。【解決手段】  本発明にかかるマットレスは、トリウム系列、ウラニウム系列又はアクチニウム系列の自然放射性元素の粉末を含む発泡樹脂からなる放射物質含有樹脂層２１が挿入されてなる。本発明によれば、このような作用を有する電離放射線を発生する自然放射性元素の粉末を含む発泡樹脂からなる放射物質含有樹脂層２１が、その厚み部分に挿入されているので、空気をマイナスイオン化させ、空気を殺菌浄化する。【選択図】図１
2007282774.tif 000002
【特許請求の範囲】
【請求項１】
トリウム系列、ウラニウム系列又はアクチニウム系列で原子崩壊する自然放射性元素の粉末を含む発泡樹脂からなる放射物質含有樹脂層が、その厚み部分に挿入されたマットレス。
【請求項２】
前記放射物質含有樹脂層は、表面から１．５ｃｍ以上の深さに設けられている請求項１に記載のマットレス。
【請求項３】
前記放射物質含有樹脂層は、裏面側にも設けられている請求項２に記載のマットレス。
【請求項４】
前記放射物質含有樹脂層の厚みは、１ｃｍ〜１．５ｃｍである、請求項１〜３のいずれか１項に記載のマットレス。
【請求項５】
前記発泡樹脂は、天然ゴムラッテクスから形成されている請求項１〜４のいずれか１項に記載のマットレス。
【請求項６】
前記発泡樹脂中の気泡の周辺近傍に、前記自然放射性元素の粉末が固定されている請求項１〜５のいずれか１項に記載のマットレス。
【請求項７】
前記発泡樹脂中の気泡を、表面から裏面にかけて泡と泡とがくっついている連立発泡構造になるように分散させている請求項１〜６のいずれか１項に記載のマットレス。
【請求項８】
芳香剤でさらに付臭されている、請求項１〜７のいずれか１項に記載のマットレス。
【発明の詳細な説明】
【技術分野】
【０００１】
本発明は一般にマットレスに関し、より特定的には、寝室特にベッド環境を清潔に安全に快適なものにすることができるように改良されたマットレスに関する。
【背景技術】
【０００２】
従来のマットレスとして、発泡樹脂体を繊維製布で被覆したもの、あるいは汚れ防止の点で、発泡樹脂体を合成樹脂製フィルムで被覆したものが知られている。
【０００３】
また、ラジウムを利用したマットレスも提案されている。自然放射物質であるラジウムから放射される少しの放射線は、免疫機能の向上などをもたらし、身体のあらゆる活動を活性化し、病気を治したり、病気にかからない強い身体にしたり、老化を抑えて若々しい身体を保つなど、あらゆる良いことをする。このようなラジウムの効用を利用して、消臭効果及び抗菌効果を有するマットレスを得ている（例えば特許文献１参照）。
【０００４】
図４は、特許文献１に記載のマットレスの断面図である。マット材である発泡樹脂体１の表面にラジウムの粉末を含む塗布層２が設けられている。このようなマットレスは、ラジウムが有する消臭効果及び抗菌効果により、マットレス自体の衛生性が常に維持でき、また、ラジウムが有する遠赤外線効果及び温泉浴効果により、これを利用する者の健康状態を改善する働きをする。
【０００５】
【特許文献１】特開２０００−１６７０７０号公報
【発明の開示】
【発明が解決しようとする課題】
【０００６】
しかしながら、特許文献１に開示のマットレスでは、ラジウムの粉末を含む塗布層２がマットレスの表面に設けられているため、劣化の面で改善の余地があった。また、表面に生じた凹凸を除去するために１．５ｃｍほど表面をスライスすることがあるが、この場合には、塗布層２が除去されてしまい、ラジウムが有する消臭効果及び抗菌効果が消失してしまうという課題もあった。
【０００７】
この発明は上述のような課題を解決するためになされたもので、長期にわたって、寝室特にベッド環境を清潔安全快適なものにすることができるように改良されたマットレスを提供することを目的とする。
【０００８】
この発明の他の目的は、温泉で癒されるような満足感を与えることができるように改良されたマットレスを提供することにある。
【０００９】
この発明の他の目的は、爽快な睡眠感が得られるように改良されたマットレスを提供することにある。
【課題を解決するための手段】
【００１０】
本発明にかかるマットレスは、トリウム系列、ウラニウム系列又はアクチニウム系列の自然放射性元素の粉末を含む発泡樹脂からなる放射物質含有樹脂層が挿入されてなる。
【００１１】
例えば紫光石中に含まれる微量のラジウム（Ｒａ）は、トリウム系列（４ｎ）、ウラニウム系列（４ｎ+２）又はアクチニウム系列（４ｎ+３）のいずれかの崩壊系列に従って、次のように原子崩壊する。
【化１】
2007282774.tif 000003
【００１２】
２２６Ｒａ（ラジウム）から２２２Ｒｎ（ラドン）に原子崩壊する時に、α，β，γ線を放出する。２２２Ｒｎ（ラドン）から２１８Ｐｏ（ポロニウム）に崩壊する時もα，β，γ線などの放射線を放出する。放射線による電離作用は、空気をマイナスイオン化する。オゾンを発生する。水（Ｈ２Ｏ）の分解により水素、酸素を発生する。オゾンは空気を殺菌浄化する特性を有する。
【００１３】
本発明によれば、このような作用を有する電離放射線を発生する自然放射性元素の粉末を含む発泡樹脂からなる放射物質含有樹脂層が、その厚み部分に挿入されているので、空気をマイナスイオン化させ、空気を殺菌浄化する。
【００１４】
この発明の好ましい実施態様によれば、上記放射物質含有樹脂層は、表面から１．５ｃｍ以上の深さに設けられている。このように構成することにより、平坦化のために表面がスライスされても、放射物質含有樹脂層塗布層が除去されてしまうことはない。
【００１５】
さらに好ましくは、上記放射物質含有樹脂層は、裏面側にも設けられている。
【００１６】
上記放射物質含有樹脂層の厚みは、１ｃｍ〜１．５ｃｍであるのが好ましい。
【００１７】
上記発泡樹脂は、天然ゴムラッテクスから形成される。
【００１８】
上記発泡樹脂中の気泡の周辺近傍に、上記自然放射性元素の粉末が固定されているのが好ましい。
【００１９】
上記発泡樹脂中の気泡を、表面から裏面にかけて泡と泡とがくっついている連立発泡構造になるように分散させている。
【００２０】
本発明のさらに好ましい実施態様によれば、芳香剤でさらに付臭されている。この発明によれば、スッキリとした香りが部屋に広がり、室内の空気をクリーンにし、寝苦しい夜も快適にし、癒しの空間を演出する。
【００２１】
芳香剤としては、例えばローズマリー(精油)、フレッシュなフローラル系の香りを与えるベルガモット、オレンジ、レモン、ローズゼラニウム、ペパーミントなどのエッセンシャルオイル、透明感のある花の香りを与えるラベンダー(精油)、レモンユーカリ、シトロネラ、ラバンジン、スィートオレンジ、ダグラスファーなどのエッセンシャルオイル、メントールとユーカリ、あまいローズ調の木の香りを与えるローズウッド(精油)、甘く実ったやさしい香りを与えるオレンジ(精油)、すがすがしい香りを与えるヒノキ(精油)などが挙げられる。
【発明の効果】
【００２２】
本発明によれば、このような作用を有する電離放射線を発生する自然放射性元素の粉末を含む発泡樹脂からなる放射物質含有樹脂層が、マットレスの厚み部分に挿入されているので、空気をマイナスイオン化させ、空気を殺菌浄化する。結果として、このようなマットレスに横たわれば、長期にわたって、温泉で癒されるような満足感を得る事ができる。また、寝室特にベッド環境を清潔安全快適なものにすることができる。
【発明を実施するための最良の形態】
【００２３】
以下、本発明の実施の形態を添付図面を参照して説明する。
【００２４】
図１は、本発明の実施の形態１に係るマットレスの断面図である。
【００２５】
図１を参照して、実施の形態にかかるマットレスは、マット材である、天然ゴムラッテクスから形成された発泡樹脂体層１を備え、発泡樹脂体層１内に、トリウム系列、ウラニウム系列又はアクチニウム系列の自然放射性元素の粉末を含む、天然ゴムラッテクスから形成された発泡樹脂からなる放射物質含有樹脂層２１が挿入されてなる。
【００２６】
自然放射性元素としては、例えば紫光石が好ましく用いられる。紫光石中に含まれる微量のラジウム（Ｒａ）は、トリウム系列（４ｎ）、ウラニウム系列（４ｎ+２）又はアクチニウム系列（４ｎ+３）のいずれかの崩壊系列に従って、次のように原子崩壊する。
【化２】
2007282774.tif 000004
【００２７】
２２６Ｒａ（ラジウム）から２２２Ｒｎ（ラドン）に原子崩壊する時に、α，β，γ線を放出する。２２２Ｒｎ（ラドン）から２１８Ｐｏ（ポロニウム）に崩壊する時もα，β，γ線を放出する。これらの放射線のことを電離放射線という。これらの元素は最後にＰｂ（鉛）となって元素を安定させる。放射線による電離作用は、空気をマイナスイオン化する。オゾンを発生する。水（Ｈ２Ｏ）の分解により水素、酸素を発生する。オゾンは空気を殺菌浄化する特性を有する。
【００２８】
本実施の形態によれば、このような作用を有する電離放射線を発生する自然放射性元素の粉末を含む、発泡樹脂からなる放射物質含有樹脂層２１が、発泡樹脂体層１の厚み部分に挿入されているので、空気をマイナスイオン化させ、空気を殺菌浄化する。
【００２９】
放射物質含有樹脂層２１は、マットレスの表面から１．５ｃｍ以上の深さに設けられている。このように構成することにより、平坦化のために表面がスライスされても、放射物質含有樹脂層２１が除去されてしまうことはない。
【００３０】
放射物質含有樹脂層２１は、表面側Ｆのみならず、裏面側Ｂにも設けられている。これにより、空気をマイナスイオン化させ、空気を殺菌浄化する作用が一層向上する。
【００３１】
それぞれの放射物質含有樹脂層２１の厚みは、１ｃｍ〜１．５ｃｍであるのが好ましい。これよりも厚みが増すと強張り感が生じ、これよりも薄いと、空気の殺菌浄化効果が十分に得られない。なお、マットレス全体の厚みは、８．５ｃｍ〜１５ｃｍである。
【００３２】
放射物質含有樹脂層２１の製造方法について説明する。まず、約１５０μの径を有する紫光石の粗粒子を準備し、細かく粉砕し、粒度を約７μにする。次に、天然ゴムのアンモニアラテックス（乾燥製品の９２％）を準備し、紫光石の粉末および他の原料を液状にして混合し、分散させ、泡立て機を使って泡立て、湿った発泡ゴムにする。紫光石の粉末は、ラッテクスに対して、重量比で約１０％添加される。次に、成形型へ、得られた発泡ゴムを注入し、加硫処理し、型から剥ぎ取る。その後、温水を使って洗浄し、ＲＦドライヤで乾燥し、所望のサイズにカットし、放射物質含有樹脂層２１を得る。これをマット材である、天然ゴムラッテクスから形成された発泡樹脂体層１内に挿入し、マットを得る。挿入方法は、例えば発泡樹脂体層１と放射物質含有樹脂層２１とを積層し、界面を貼り付けることによって行ってもよいし、単に両者を積層した状態で繊維製布で全体を被覆することによって行ってもよい。
【００３３】
図２は得られた放射物質含有樹脂層２１の断面図である。放射物質含有樹脂層２１は気泡３を含む。条件を選ぶことによって、紫光石の粉末４を気泡３の近傍に固定することができる。紫光石の粉末４を気泡３の近傍に固定することによって、空気をマイナスイオン化させ、空気を殺菌浄化する作用を一層向上させることができる。
【００３４】
また、条件を選んで、放射物質含有樹脂層２１の気泡の分散状態を、表面から裏面にかけて泡と泡とがくっついている連立発泡構造（図２中、参照番号５で示す部分）にすると、その周囲に紫光石の粉末４が固定された気泡３のそれぞれが接続されるので、矢印で示すような空気の通路ができ、空気に触れないで樹脂内に埋没してしまう紫光石の粉末４の割合が減少し、上記効果が一層向上する。この場合、もちろんマットレス本体である発泡樹脂体層１も連立発泡構造にするのが好ましい。
【００３５】
図３は、上記実施の形態の変形例にかかるマットレスの断面図である。図１に示すマットレスと同一部分には同一の参照番号を付し、その説明を繰り返さない。
【００３６】
図３に示すマットレスは、ローズマリー(精油)などの芳香剤でさらに付臭されている。付臭の方法として、芳香剤を含む発泡層２２がマットレスの厚み部分に挿入されている。本変形例によれば、自然放射性元素による化学的効果に加えて、さらにスッキリとした香りが部屋に広がるという臭覚的効果により、室内の空気をクリーンにし、寝苦しい夜も快適にし、癒しの空間を演出することができる。この変形例では、芳香剤を含む発泡層２２を別途挿入する場合を例示したが、この発明はこれに限られるものでなく、図２の放射物質含有樹脂層２１の気泡３の内周面に芳香剤成分を付着させて、図１に示す構造のマットレスを構成してもよい。また、発泡樹脂体層１の気泡の内周面に芳香剤成分を付着させて、図１に示す構造のマットレスを構成してもよい。
【００３７】
なお、上記実施の形態では、放射物質含有樹脂層２１を２層挿入する場合を例示したが、１層挿入する場合でもよいし、３層以上挿入してもよい。
【００３８】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３９】
本発明によれば、温泉で癒されるような満足感あるいは爽快な睡眠感が得られるように改良されたマットレスが得られる。
【図面の簡単な説明】
【００４０】
【図１】本発明にかかるマットレスの断面図である。
【図２】本発明に用いる放射物質含有樹脂層の断面図である。
【図３】本発明の変形例にかかるマットレスの断面図である。
【図４】従来提案されているマットレスの断面図である。
【符号の説明】
【００４１】
１  発泡樹脂体層
３  気泡
４  紫光石の粉末
５  連立発泡構造
２,２１  放射物質含有樹脂層
２２  芳香剤で付臭された発泡層
【図１】
2007282774.tif 000005
【図２】
2007282774.tif 000006
【図３】
2007282774.tif 000007
【図４】
2007282774.tif 000008